(57)【要約】  ＷＴＲＵ(wireless transmit receive unit)に関するフィードバック情報を送信する方法は、アップリンク共用チャンネルを用いてフィードバック情報を多重化すること、多重化されたフィードバック情報をＯＦＤＭシンボルにマッピングすること、およびフィードバック情報をｅＮＢ(e Node B)に送信することを含む。その方法は、分散ＦＤＭ(frequency division multiplexing)を使用して、アップリンク共有チャンネルを用いてフィードバック情報を多重化すること、フィードバック情報を１番目のＯＦＤＭ(orthogonal frequency division multiplex)シンボルにマッピングすること、およびマッピングされたフィードバック情報を送信帯域全体に等距離に分散することも含む。
2010521880.tif 000002
【特許請求の範囲】
【請求項１】
ＷＴＲＵ(wireless transmit receive unit)からフィードバック情報を送信する方法であって、
アップリンク共有チャンネルを用いて前記フィードバック情報を多重化すること、
前記フィードバック情報をＯＦＤＭ(orthogonal frequency domain multiplex)シンボルにマッピングすること、および
前記フィードバック情報をｅＮＢ(e Node B)に送信すること
を備えることを特徴とする方法。
【請求項２】
分散ＦＤＭ(frequency division multiplexing)を使用して、前記アップリンク共有チャンネルを用いて前記フィードバック情報を多重化すること、
前記フィードバック情報を１番目のＯＦＤＭ(orthogonal frequency division multiplex)シンボルにマッピングすること、および
前記マッピングされたフィードバック情報を前記送信帯域全体に等距離に分散すること
をさらに備えることを特徴とする請求項１に記載の方法。
【請求項３】
前記フィードバック情報は、ＴＰＣ(transmit power control)信号を備えることを特徴とする請求項１に記載の方法。
【請求項４】
前記フィードバック情報は、ＡＣＫ／ＮＡＣＫ(acknowledge/non-acknowledge)信号を備えることを特徴とする請求項１に記載の方法。
【請求項５】
ハイブリッド分散ＦＤＭ(frequency division multiplexing)／ＣＤＭ(code division multiplexing)方式を使用して、前記アップリンク共有チャンネルを用いて前記フィードバック情報を多重化すること、
前記フィードバック情報を少なくとも２つのローカル無線ベアラにマッピングすること、
直交分散シーケンスによって前記フィードバック情報を多重化すること
をさらに備えることを特徴とする請求項１に記載の方法。
【請求項６】
前記直交シーケンスは、ＣＡＺＡＣシーケンスであることを特徴とする請求項５に記載の方法。
【請求項７】
前記直交シーケンスは、アダマールシーケンスであることを特徴とする請求項５に記載の方法。
【請求項８】
フィードバックチャンネルをｅＮｏｄｅＢから静的にスケジュール化されたＷＴＲＵ(wireless transmit receive unit)に送信する方法であって、
制御チャンネルを用いて前記フィードバックチャンネルを多重化すること、
前記多重化されたチャンネルを少なくとも１つのＲＥ(resource element)に割り当てること、および
前記多重化されたチャンネルを少なくとも１つのＯＦＤＭ(orthogonal frequency division multiplex)シンボルにマッピングすること
を備えることを特徴とする方法。
【請求項９】
前記フィードバックチャンネルは、ＡＣＫＣＨ｛ACK/NACK(acknowledgement)channel｝を備えることを特徴とする請求項８に記載の方法。
【請求項１０】
前記フィードバックチャンネルは、ＴＰＣＣＨ(transmission power control channel)を備えることを特徴とする請求項８に記載の方法。
【請求項１１】
前記フィードバックチャンネルは、ＡＴＣＨ(ACK/NACK and TPC information channel)を備えたチャンネルを備えることを特徴とする請求項８に記載の方法。
【請求項１２】
多重化されたダウンリンクスケジューリング許可を送信すること、および
リソースグリッドにおいて前記ダウンリンクスケジューリング許可のチャンネルの配置を明示的に表示すること
をさらに備えることを特徴とする請求項８に記載の方法。
【請求項１３】
アップリンク共用チャンネルを用いて複数のフィードバック情報を多重化し、および前記多重化されたフィードバック情報をＯＦＤＭ(orthogonal frequency domain multiplex)シンボルにマッピングするように構成されたプロセッサと、
前記多重化されたフィードバック情報をｅＮＢ(e Node B)に送信するように構成された送信器と
を備えることを特徴とするＷＴＲＵ(wireless transmit receive unit)。
【請求項１４】
分散ＦＤＭ(frequency division multiplexing)を使用して、前記アップリンク共有チャンネルを用いて前記フィードバック情報を多重化し、
前記フィードバック情報を１番目のＯＦＤＭ(orthogonal frequency division multiplex)シンボルにマッピングし、および
前記マッピングされたフィードバック情報を送信帯域全体に等距離に分散するように構成されたプロセッサ
をさらに備えることを特徴とする請求項１３に記載のＷＴＲＵ。
【請求項１５】
前記フィードバック情報は、ＴＰＣ(transmit power control)信号を備えることを特徴とする請求項１３に記載のＷＴＲＵ。
【請求項１６】
前記フィードバック情報は、ＡＣＫ／ＮＡＣＫ(acknowledge/non-acknowledge)信号を備えることを特徴とする請求項１３に記載のＷＴＲＵ。
【請求項１７】
ハイブリッド分散ＦＤＭ(frequency division multiplexing)／ＣＤＭ(code division multiplexing)方式を使用して、前記アップリンク共有チャンネルを用いて前記フィードバック情報を多重化し、
前記フィードバック情報を少なくとも２つのローカル無線ベアラにマッピングし、および
直交分散シーケンスによって前記フィードバック情報を多重化するように構成されたプロセッサ
をさらに備えることを特徴とする請求項１３に記載のＷＴＲＵ。
【請求項１８】
前記直交シーケンスは、ＣＡＺＡＣシーケンスであることを特徴とする請求項１７に記載のＷＴＲＵ。
【請求項１９】
前記直交シーケンスは、アダマールシーケンスであることを特徴とする請求項１７に記載のＷＴＲＵ。
【発明の詳細な説明】
【技術分野】
【０００１】
本発明は、無線通信に関する。
【背景技術】
【０００２】
３ＧＰＰ（Third Generation Partnership Project）ＬＴＥ（Long Term Evolution）プログラムの目的は、スペクトル効率を改善し、待ち時間を短縮し、無線リソースを有効に利用して、高速化したユーザー体験、豊富なアプリケーションおよびサービスを低コストでユーザーに提供するために、無線通信システムにおける設定および構成を行う新しい技術、新しいアーキテクチャ、および新しい方法を開発することである。
【０００３】
３ＧＰＰＬＴＥシステムにおいてシグナリングオーバーヘッドを軽減するために、アップリンク共用データチャンネルのインデックスとアップリンクデータ送信のためにＡＣＫ／ＮＡＣＫ(acknowledge/non-acknowledge)フィードバックを運ぶダウンリンク物理リソースのインデックスとの間の予め定められた１対１マッピングが示されている。ＷＴＲＵ（wireless transmit receive unit）ＩＤ（identification）は、ＡＣＫ／ＮＡＣＫ情報とともに明示的に運ばれる。ＷＴＲＵは、付加的な補助情報を復号せずにＡＣＫ／ＮＡＣＫを受信することができる。
【０００４】
アップリンクデータのＴＰＣ(transmit power control)情報の送信は、ＬＴＥに配慮する。効率的で信頼できるＴＰＣの送信が望ましい。
【発明の概要】
【０００５】
ＷＴＲＵに対してフィードバック情報を送信するための方法および装置が開示される。その方法は、アップリンク共用チャンネルを用いてフィードバック情報を明示的にマッピングすること、および、フィードバック情報をｅＮＢ(e Node B)に送信することを含むことができる。その方法は、分散ＦＤＭ(frequency division multiplexing)、ＣＤＭ(Code Division Multiplexing)またはハイブリッドＦＤＭ／ＣＤＭを使用するアップリンク共用チャンネルを用いてフィードバック情報を多重化すること、フィードバック情報をＯＦＤＭ(orthogonal frequency division multiplex)シンボルにマッピングすること、および、マッピングされたフィードバック情報を送信帯域全体に等距離に分散することを含むことができる。
【図面の簡単な説明】
【０００６】
より詳細な理解を、一例として与えられ、添付図とともに理解される以下の説明から得ることができる。
【図１】一実施形態にかかる、無線通信システムの例を示す図である。
【図２】図１のＷＴＲＵおよびｅＮＢの機能的ブロック図を示す図である。
【図３】一実施形態にかかる、分散ＦＤＭ(frequency division multiplexing)を使用したＡＣＫＣＨ(acknowledge/non-acknowledge channel)のサブセットのマップ図である。
【図４】代替的実施形態にかかる、分散ＦＤＭ(frequency division multiplexing)を使用したＡＣＫＣＨ(acknowledge/non-acknowledge channel)のサブセットのマップ図である。
【図５】別の代替的実施形態にかかる、分散ＦＤＭ(frequency division multiplexing)を使用したＡＣＫＣＨ(acknowledge/non-acknowledge channel)のマップ図である。
【図６】別の実施形態にかかる、分散ハイブリッドＦＤＭ／ＣＤＭ(code division multiplexing)を使用したＡＣＫＣＨのマップ図である。
【図７】別の代替的実施形態にかかる、２つのローカライズされたＲＢ(radio bearer)を有する分散ハイブリッドＦＤＭ／ＣＤＭを使用したＡＣＫＣＨのマップ図である。
【発明を実施するための形態】
【０００７】
以下を参照する場合、用語「ＷＴＲＵ(wireless transmit/receive unit)」は、ＵＥ(user equipment)、移動局、固定式または移動式加入者装置、ポケットベル、携帯電話機、ＰＤＡ(personal digital assistant)、コンピュータ、または無線環境において動作できる任意の他の種類のユーザー装置を含むが、これらに限定されない。以下を参照する場合、用語「基地局」は、ＮｏｄｅＢ、サイトコントローラ、ＡＰ(access point)、または無線環境において動作できる任意の他の種類のインタフェース装置を含むが、これらに限定されない。
【０００８】
図１に、複数のＷＴＲＵ１１０および１つのｅＮＢ１２０を含む無線通信システム１００を示す。図１に示すように、ＷＴＲＵ１１０は、ｅＮＢ１２０との通信を行う。３つのＷＴＲＵ１１０と１つのｅＮＢ１２０を図１に示すが、任意の無線装置と有線装置との組み合わせも無線通信システム１００に含むことができることを留意されたい。
【０００９】
図２は、図１の無線通信システム１００のＷＴＲＵ１１０およびｅＮＢ１２０の機能的ブロック図２００である。図２に示すように、ＷＴＲＵ１１０は、ｅＮＢ１２０との通信を行う。ＷＴＲＵ１１０は、ｅＮＢ１２０からスケジューリング許可を受信するように組み込まれる。ＷＴＲＵは、ＡＣＫ／ＮＡＣＫ信号および電力制御信号をｅＮＢから受信し、ｅＮＢに送信するように構成される。ｅＮＢとＷＴＲＵの両方は、変調されてコード化された信号を処理するように構成される。
【００１０】
典型的なＷＴＲＵに見られるコンポーネントに加えて、ＷＴＲＵ１１０は、プロセッサ２１５、受信器２１６、送信器２１７、およびアンテナ２１８を含む。受信器２１６および送信器２１７は、プロセッサ２１５との通信を行う。アンテナ２１８は、受信器２１６と送信器２１７の両方との通信を行って、無線データの送受信を容易にする。
【００１１】
典型的なｅＮＢに見られるコンポーネントに加えて、ｅＮＢ１２０は、プロセッサ２２５、受信器２２６、送信器２２７、およびアンテナ２２８を含む。受信器２２６および送信器２２７は、プロセッサ２２５との通信を行う。アンテナ２２８は、受信器２２６と送信器２２７の両方との通信を行って、無線データの送受信を容易にする。
【００１２】
ｅＮＢ１２０は、スケジューラ２２８を含む。スケジューラ２２８は、ＷＴＲＵ１１０からの要求を監視して処理を行い、要求に従ってリソースを分散する。一般的に、ＷＴＲＵ１１０は、動的スケジューリングモードまたは静的スケジューリングモードで動作することができる。動的スケジューリングモードにおいて、ＴＴＩ(transmission time interval)ごとに、スケジューラ２２８によってスケジューリング判定が行われて、ｅＮＢ１２０からＷＴＲＵ１１０にスケジューリング許可が送信される。静的スケジューリングモードにおいて、スケジューリング許可は、ＴＴＩごとに送信されない。むしろ、ｅＮＢは、複数のＴＴＩに対して単一のスケジューリング許可を送信する。
【００１３】
動的スケジューリングモードの間、ｅＮＢ１２０は、ＷＴＲＵ１１０に送信されたアップリンクスケジューリング許可によってＡＣＫ／ＮＡＣＫ情報およびＴＰＣ情報を送信できる。
【００１４】
しかしながら、静的スケジューリングモードの間、ｅＮＢ１２０は、規則的なアップリンクスケジューリング許可を送信しない。その代わりに、ｅＮＢ１２０は、アップリンク共用チャンネルに明示的にマッピングすることを用いて、ＴＰＣ(transmission power control)情報およびＡＣＫ／ＮＡＣＫ情報を送信できる。ＡＣＫ／ＮＡＣＫ情報は、ＡＣＫＣＨ(ACK/NACK channel)によって送信でき、ＴＰＣ情報は、ＴＰＣＣＨ(TPC channel)によって送信でき、ＡＣＫ／ＮＡＣＫ情報とＴＰＣ情報の両方は、ＡＴＣＨ(ACK/NACK/TPC channel)によって送信できる。特定の実施形態を説明するために、任意のチャンネルを使用できる。１つのチャンネルが別のチャンネルに代替でき、本明細書に開示される方法および装置がチャンネルに特定されないことを当業者は認識する。
【００１５】
一例において、セルは、５０の無線ベアラを含むアップリンクにおいて１０ＭＨｚ帯域を使用することができる。ＲＡＣＨ(random access channel)、ＡＣＫＣＨ(acknowledge channel)、およびＣＱＩＣＨ(channel quality index channel)などのアップリンク制御チャンネルによってリソースの使用が減じられた後、４４〜４８のアップリンクＷＴＲＵを同時にサポートすることができる。従って、４４〜４８のＡＣＫＣＨが、各ＷＴＲＵに１つずつ、ダウンリンクにおいて必要である。
【００１６】
各通信チャンネルは、いくつかのＲＥ(resource element)を含むことができ、ＲＥは、１つのＯＦＤＭ(orthogonal frequency division multiplex)シンボルの期間にわたって、１つの副搬送波として定義される。４つのアンテナを有するＭＩＭＯシステムの場合、１番目のＯＦＤＭシンボル内に２００ＲＥｓ(reference signal tone)と、２番目のＯＦＤＭシンボル内に４００ＲＥｓ(non-reference signal tone)とが同時に存在する。ＡＣＫＣＨは、Ｋ分散の等距離ＲＥを占有できる。ＯＦＤＭシンボルの持続時間がチャンネルのコヒーレンス時間よりもかなり短いので、２以上のＯＦＤＭシンボルにＲＥを分散させることによって時間ダイバーシチがほとんど生成されない。従って、ＡＣＫＣＨのＫ  ＲＥを１つのＯＦＤＭシンボルにマッピングできる。ＡＣＫＣＨは、任意のｎ（ｎ＜３）のＯＦＤＭシンボルの中のいずれからにマッピングすることができる。しかしながら、ＴＴＩにおいてＡＣＫＣＨを、１番目のまたは最先のＯＦＤＭシンボルにマッピングして、すべてのＷＴＲＵに対して均一なＨＡＲＱ待ち時間を維持することが可能である。
【００１７】
ダウンリンクに利用できる２００の参照信号トーンがあり、同時に４４〜４８のＷＴＲＵがアップリンクにあって、各々が専用のＡＣＫＣＨを要求するので、Ｋ値は４に限定される。アップリンクが４０のＷＴＲＵに同時に限定された場合、Ｋ値は５とすることができる。
【００１８】
２つのアンテナを有するＭＩＭＯ(multiple input/multiple output)システムにおいて、２００の副搬送波は、参照信号を含み、４００の非参照信号トーンを含む。４４のＷＴＲＵに同時に適合するために、Ｋ値は９より大きくすることができず、４８のＷＴＲＵに対してＫ値は８より大きくすることができない。４０のＷＴＲＵがサポートを要求する場合、Ｋ値は１０とすることができる。
【００１９】
ＡＣＫＣＨが、どの参照番号も運ばないＯＦＤＭシンボルにマッピングされた場合、アップリンクにおいて４４のＷＴＲＵ、および６００の利用できる非参照信号トーンに対して、Ｋの最大値は１３である。アップリンクにおける４８のＷＴＲＵに対して、Ｋの最大値は１４である。４０のＷＴＲＵがサポートされる場合、Ｋ値は１５にできる。
【００２０】
図３は、一実施形態に従って、分散ＦＤＭ(frequency division multiplexing)を使用したＡＣＫＣＨ３００の完全なマッピングのサブセットである。完全なマッピングは、７つの（seven）ＯＦＤＭシンボルによる６００の副搬送波のリソースグリッドである。図３に示すのは、副搬送波１から６まで（３５０）、副搬送波１４５から１５０まで（３６０）、および副搬送波２８９から２９４まで（３７０）を示す完全なマッピングのサブセットである。副搬送波は、７つの(seven) ＯＦＤＭシンボル３０６にマッピングされる。同様にデータシンボル（Ｄ）３１８、制御シンボル（Ｃ）３１６、データまたは制御シンボル（Ｂ）３２０、アンテナ参照シンボル（Ｔｘ）３１０、およびＡＣＫＣＨ（３０８、３１２、３１４）を運ぶシンボルも示す。各ＡＣＫＣＨシンボル（３０８、３１２、３１４）は、副搬送波全体に等距離に間隔をあけることができるが、アンテナ参照信号（Ｔｘ）３１０と同じ間隔を占有することができない。例えば、ＡＣＫＣＨ３００は、副搬送波１（３１２）、副搬送波１４５（３１４）、副搬送波２８９（３０８）、および副搬送波４３３（図示せず）においてＯＦＤＭシンボルにマッピングできる。
【００２１】
あるいは、ＡＣＫＣＨ３００は、中央の副搬送波にシンボルをマッピングできる。図４は、代替的実施形態に従って、分散ＦＤＭ(frequency division multiplexing)を使用したＡＣＫＣＨ３００の完全なマッピングのサブセットである。図４に、副搬送波、特に副搬送波２００から２０５まで（４５０）、副搬送波２４８から２５３まで（４６０）、および副搬送波２９２から２９７まで（４７０）の中間の周波数スペクトルの１つのＯＦＤＭシンボルを示す。ＡＣＫＣＨ３００は、副搬送波２００（４０２）、副搬送波２４８（４０４）、副搬送波２９２（４０６）、および副搬送波３３６（図示せず）においてシンボルにマッピングできる。
【００２２】
別の代替として、ＡＣＫＣＨ３００は、副搬送波の帯域外のシンボルにマッピングできる。図５は、別の代替的実施形態に従って、分散ＦＤＭ(frequency division multiplexing)を使用したＡＣＫＣＨ３００の完全なマッピングのサブセットである。図５に、副搬送波、特に副搬送波１から６まで（５５０）、副搬送波９５から１００まで（５６０）、および副搬送波５００から５０５まで（５７０）を隔てた帯域外の１つのＯＦＤＭシンボルを示す。ＡＣＫＣＨ３００は、副搬送波１（５０２）、副搬送波９５（５０４）、副搬送波５００（５０６）、および副搬送波５９５（図示せず）のＯＦＤＭシンボルにマッピングできる。
【００２３】
さらに別の代替として、ＡＣＫＣＨ３００を、整数のＤＳＧＣＨ(downlink scheduling grant channel)またはＵＳＧＣＨ(uplink scheduling grant channel)を１番目のＯＦＤＭシンボル内にマッピングさせるためにマッピングできる。これは、付加的なオーバーヘッド軽減できる。
【００２４】
あるいは、ＢＰＳＫまたはＱＰＳＫなどの高次変調を用いて、ＡＣＫ／ＮＡＣＫ情報とともにＴＰＣ情報を表示するためにダウンリンクにおいて使用される変調シンボルを作成できる。シンボルは、ＴＰＣおよびＡＣＫ／ＮＡＣＫの送信に用いられるコーディングを繰り返すことによって送信できる。これは、ＴＰＣおよびＡＣＫ／ＮＡＣＫを運ぶダウンリンク制御チャンネルが、ＦＤＭ(frequency division multiplexing)を使用して、他の制御チャンネルを用いて多重化される場合に適用できる。
【００２５】
図６は、別の実施形態に従って、分散ハイブリッドＦＤＭ／ＣＤＭ(code division multiplexing)を使用したＡＣＫＣＨ６００のマッピングである。ＡＣＫＣＨ６００は、図３のＡＣＫＣＨ３００のマッピングと同様に、Ｋ分散の等距離ＲＥを占有できる。さらに、ＡＣＫＣＨシンボルと同じＯＦＤＭシンボル内にマッピングされた制御シンボルは、ＣＡＺＡＣ(constant amplitude zero auto-correlation)シーケンスによって拡散できる。図６に示すように、ＡＣＫＣＨ６００の１番目のシンボル６０２は、Ｓ1６０４（Ｋ長のＳ配列の１番目のチップ／シンボル）によって多重化できる。ＡＣＫＣＨ６００のｋthシンボル６０６は、Ｓ(k-1)６０８（Ｓ配列のｋthチップ／シンボル）によって多重化できる。最後のシンボルである、ＡＣＫＣＨ６００のＸK６１０は、Ｓk６１２（Ｓ配列のｋthチップ／シンボル）によって多重化できる。
【００２６】
ＯＦＤＭシンボル内のすべての副搬送波の総数がＮであり、同じＯＦＤＭシンボル内のＲＥの数がＭ（Ｍ＜Ｋ）である場合、Ｍ  ＲＥに拡散するＣＡＺＡＣシーケンスは、Ｍ長の配列に巡回シフトされたＣＡＺＡＣシーケンスか、またはＮ長の長いＣＡＺＡＣシーケンスが巡回シフトされて多相に分解されたシーケンスのどちらかにできる。後者の場合、多相分解因数は、Ｎ／Ｍであり、多相に分解された配列がＭ長を有することを示す。
【００２７】
図３に示したマッピングと同様に、ＡＣＫＣＨ６００は、最初の３つの(three)シンボル上にマッピングできる。ＴＴＩにおいてチャンネルを、１番目または最先のＯＦＤＭシンボルにマッピングすることは、すべてのＷＴＲＵに対して均一なＨＡＲＱ待ち時間を維持するのに役立つ。さらに、ＣＡＺＡＣシーケンスは、ＭまたはＫを素にできる意味から、素数と等しい長さの分散シーケンスを有する分散シーケンスとして使用できる。
【００２８】
あるいは、巡回シフトは、分散シーケンスが素数でない長さを有する場合、配列長と共通の素である差異を用いて使用できる。ローカライズされたハイブリッドＦＤＭ／ＣＤＭ多重化を用いる場合、各ＲＢ上のＣＡＺＡＣシーケンス（または連続する副搬送波のサブセット）も、アダマールシーケンスの代わりに分散シーケンスとして使用することができる。
【００２９】
図７は、代替的実施形態に従って、２つのローカライズされたＲＢ７０２、ＲＢ７０４を有するローカライズされたハイブリッドＦＤＭ／ＣＤＭを使用したＡＣＫＣＨ７００の例示的なマッピングである。ＡＣＫＣＨ７００は、いくつかのローカライズされたＲＢにマッピングできる。マッピングは、不連続で副搬送波全体に等距離にできる。図７に示すように、ＡＣＫＣＨ７００は、ＲＢｘ７０２およびＲＢｙ７０４にマッピングされ、それぞれの距離は、セルの帯域幅の半分である。直交分散シーケンスは、ＡＣＫＣＨ７００が使用する各ＲＢ(７０２、７０４)において用いられる。シーケンスは、ＣＡＺＡＣシーケンスまたはアダマールシーケンスなどの他の直交シーケンスとすることができる。
【００３０】
ＡＣＫＣＨシンボルと同じＯＦＤＭシンボル内にマッピングされた制御シンボルは、ＣＡＺＡＣ(constant amplitude zero auto-correlation)シーケンスによって拡散できる。図７に示すように、ＲＢｘ７０２上にマッピングされたＡＣＫＣＨ７００は、シーケンスＳ1７０８によって分散でき、ＲＢｙ７０４にマッピングされたＡＣＫＣＨ７００は、Ｓ2７１２によって分散できる。
【００３１】
あるいは、２つの異なる巡回シフトを有するＣＡＺＡＣシーケンスがＡＣＫ／ＮＡＣＫを表示するために用いられる場合、ＢＰＳＫ、ＱＰＳＫ、または他の高次変調に変調されたＣＡＺＡＣシーケンスを、ＴＰＣおよびＡＣＫ／ＮＡＣＫの送信に用いることができる。これは、ＴＰＣおよびＡＣＫ／ＮＡＣＫを運ぶダウンリンク制御チャンネルが、ＣＤＭまたはハイブリッドＦＤＭ／ＣＤＭを使用して、他の制御チャンネルを用いて多重化される場合に用いることができる。
【００３２】
例えば、ＵＳＧＣＨ(uplink scheduling grant channel)およびＤＳＧＣＨ(downlink scheduling grant channel)などのアップリンクまたはダウンリンクスケジューリング許可情報を運ぶダウンリンク制御チャンネルの時間および周波数配置を、明示的に示すことができる。ダウンリンクにおいてＵＳＧＣＨおよびＤＳＧＣＨを受信するＷＴＲＵの場合、制御チャンネル候補のセットを監視して、ＣＲＣを検査することによって、どのチャンネルが制御情報を運んでいるかを検知できる。ダウンリンクＡＣＫＣＨが、多重化に基づくＣＤＭまたはハイブリッドＦＤＭ／ＣＤＭを用いる場合、例えば、ＣＡＺＡＣシーケンスなどの直交シーケンスを使用して明示的情報を運び、ＷＴＲＵが低減された制御チャンネル候補のセットを監視できるようにすることができる。
【００３３】
例えば、２つのＡＣＫＣＨが同じ時間周波数リソースにマッピングされて、それらを分離するためにＣＡＺＡＣシーケンスを用いる場合、ＣＡＺＡＣシーケンスは、予め定めた時間周波数リソースにマッピングされて、巡回シフトされた４つの直交シーケンスまでをサポートすることができる。各ＡＣＫＣＨに対して、２つの巡回シフトを使用して、ＵＳＧＣＨおよびＤＳＧＣＨの配置に関する１ビッドの情報を運ぶことができる。ＷＴＲＵがＫ制御チャンネル候補のセットを監視するように、上位層によって信号伝達された場合、ＷＴＲＵは、１ビッドの情報を用いて、ＵＳＧＣＨまたはＤＳＧＣＨを前半または後半の制御チャンネル候補のセット上で運ぶかどうかを判定することができる。これにより、ＷＴＲＵに、探索せずに制御チャンネル候補の半分を削除させることができる。ＷＴＲＵは、処理時間を省き、誤ってＣＲＣ(cyclic redundancy check)を通過する確率を減らすことができる。
【００３４】
別の実施形態において、アップリンクＭＵ−ＭＩＭＯ(multi-user MIMO)が用いられる場合、２つ以上のＷＴＲＵは、同じアップリンクリソースブロックを占有できる。アップリンク共有データチャンネルと、ＡＣＫ／ＮＡＣＫフィードバックを運ぶダウンリンク物理リソースのインデックス間の予め定めた１対１マッピングは、２つのＷＴＲＵを識別することができない。しかしながら、上記に述べたように、同じアップリンクリソースブロックを占有するＷＴＲＵに関するＡＣＫ／ＮＡＣＫおよびＴＰＣ情報を運ぶダウンリンク制御チャンネルは、ＣＤＭを使用して多重化し、異なる直交シーケンスによって拡散できる。このように、それらのフィードバックチャンネルは、互いに直交する。
【００３５】
ＴＰＣは、１(one)ビット（上りまたは下り）、２(two)ビット（上り、下りまたはホールド）、または３(three)ビットとして送信できる。例えば、ＱＰＳＫまたは高次変調などの変調を使用して、ＴＰＣおよびＡＣＫ／ＮＡＣＫ情報を表示するためにダウンリンクにおいて用いられる変調シンボルを作成できる。変調シンボルは、ＴＰＣおよびＡＣＫ／ＮＡＣＫの送信に用いられるコーディングを繰り返すことによって送信できる。これは、ＴＰＣおよびＡＣＫ／ＮＡＣＫを運ぶダウンリンク制御チャンネルが、ＦＤＭ(frequency division multiplexing)を使用して、他の制御チャンネルを用いて多重化される場合に適用できる。
【００３６】
あるいは、４つの異なる巡回シフトを有するＣＡＺＡＣシーケンスを使用して、ＡＣＫ／ＮＡＣＫに１(one)ビットＴＰＣを加えて表示できる。１(one)ビットより大きいＴＰＣの場合、より大きい巡回シフトを使用することができるか、または４つの異なる巡回シフトを有するＣＡＺＡＣシーケンスによって変調されたＢＰＳＫ（またはＱＰＳＫ）を使用してＴＰＣおよびＡＣＫ／ＮＡＣＫ情報を表示することができる。
【００３７】
別の実施形態において、静的にスケジュール化されたＷＴＲＵの場合、ＴＰＣは、アップリンク共有チャンネルへの明示的なマッピングを使用して単独で送信できる。
【００３８】
アップリンクＭＵ−ＭＩＭＯを用いない場合、異なるＷＴＲＵは、異なるアップリンクリソースブロックを占有できる。アップリンク共有データチャンネルと、アップリンクデータ送信に関するＴＰＣ情報を運ぶ物理リソースのインデックスとの間で予め定めた１対１マッピングを使用することができる。ＷＴＲＵ  ＩＤは、ＴＰＣ情報を用いて明示的に運ぶことができる。ＷＴＲＵは、付加的な補助情報を復号せずにＴＰＣ情報を受信することができる。
【００３９】
（実施形態）
１．ＷＴＲＵ(wireless transmit receive unit)からフィードバック情報を送信する方法であって、前記方法は、アップリンク共有チャンネルを用いて前記フィードバック情報を多重化することを備える。
２．前記フィードバック情報をＯＦＤＭ(orthogonal frequency domain multiplex)シンボルにマッピングすることをさらに備える実施形態１における方法。
３．前記フィードバック情報をｅＮＢ(e Node B)に送信することをさらに備える実施形態１または２における方法。
４．分散ＦＤＭ(frequency division multiplexing)を使用して、前記アップリンク共有チャンネルを用いて前記フィードバック情報を多重化することをさらに備える実施形態２または３における方法。
５．前記フィードバック情報を１番目のＯＦＤＭ(orthogonal frequency division multiplex)シンボルにマッピングすることをさらに備える実施形態２乃至４のいずれかにおける方法。
６．前記マッピングされたフィードバック情報を前記送信帯域全体に等距離に分散することをさらに備える実施形態２乃至５のいずれかにおける方法。
７．前記フィードバック情報は、ＴＰＣ(transmit power control)信号を備える実施形態１乃至６のいずれかにおける方法。
８．前記フィードバック情報は、ＡＣＫ／ＮＡＣＫ(acknowledge/non-acknowledge)信号を備える実施形態１乃至６のいずれかにおける方法。
９．ハイブリッド分散ＦＤＭ(frequency division multiplexing)／ＣＤＭ(code division multiplexing)方式を使用して、前記アップリンク共有チャンネルを用いて前記フィードバック情報を多重化し、前記フィードバック情報を少なくとも２つのローカル無線ベアラにマッピングし、および直交分散シーケンスによって前記フィードバック情報を多重化することをさらに備える実施形態２乃至８のいずれかにおける方法。
１０．前記直交シーケンスは、ＣＡＺＡＣシーケンスである実施形態９における方法。
１１．前記直交シーケンスは、アダマールシーケンスである実施形態９における方法。
１２．フィードバックチャンネルをｅＮｏｄｅＢから静的にスケジュール化されたＷＴＲＵ(wireless transmit receive unit)に送信する方法であって、前記方法は、制御チャンネルを用いて前記フィードバックチャンネルを多重化することを備える。
１３．前記多重化されたチャンネルを少なくとも１つのＲＥ(resource element)に割り当てることをさらに備える実施形態１２における方法。
１４．前記多重化されたチャンネルを少なくとも１つのＯＦＤＭ(orthogonal frequency division multiplex)シンボルにマッピングすることをさらに備える実施形態１２または１３における方法。
１５．前記フィードバックチャンネルは、ＡＣＫＣＨ(ACK/NACK(acknowledgement)channel)を備える実施形態１２乃至１４のいずれかにおける方法。
１６．前記フィードバックチャンネルは、ＴＰＣＣＨ(transmission power control channel)を備える実施形態１２乃至１４のいずれかにおける方法。
１７．前記フィードバックチャンネルは、ＡＴＣＨ(ACK/NACK and TPC information channel)を備えたチャンネルを備える実施形態１２乃至１４のいずれかにおける方法。
１８．多重化されたダウンリンクスケジューリング許可を送信し、およびリソースグリッドにおいて前記ダウンリンクスケジューリング許可のチャンネルの配置を明示的に表示することをさらに備える実施形態１２乃至１７のいずれかにおける方法。
１９．アップリンク共用チャンネルを用いて複数のフィードバック情報を多重化し、および前記多重化されたフィードバック情報をＯＦＤＭ(orthogonal frequency domain multiplex)シンボルにマッピングするように構成されたプロセッサを備えるＷＴＲＵ(wireless transmit receive unit)。
２０．前記多重化されたフィードバック情報をｅＮＢ(e Node B)に送信するように構成された送信器をさらに備える実施形態１９におけるＷＴＲＵ。
２１．分散ＦＤＭ(frequency division multiplexing)を使用して、前記アップリンク共有チャンネルを用いて前記フィードバック情報を多重化し、前記フィードバック情報を１番目のＯＦＤＭ(orthogonal frequency division multiplex)シンボルにマッピングし、および前記マッピングされたフィードバック情報を前記送信帯域全体に等距離に拡散するように構成されたプロセッサをさらに備える実施形態１９または２０におけるＷＴＲＵ。
２２．前記フィードバック情報は、ＴＰＣ(transmit power control)信号を備える実施形態１９乃至２１のいずれかにおけるＷＴＲＵ。
２３．前記フィードバック情報は、ＡＣＫ／ＮＡＣＫ(acknowledge/non-acknowledge)信号を備える実施形態１９乃至２１のいずれかにおけるＷＴＲＵ。
２４．ハイブリッド分散ＦＤＭ(frequency division multiplexing)／ＣＤＭ(code division multiplexing)方式を使用して、前記アップリンク共有チャンネルを用いて前記フィードバック情報を多重化し、前記フィードバック情報を少なくとも２つのローカル無線ベアラにマッピングし、および直交分散シーケンスによって前記フィードバック情報を多重化するように構成されたプロセッサをさらに備える実施形態１９乃至２４のいずれかにおけるＷＴＲＵ。
２５．前記直交シーケンスは、ＣＡＺＡＣシーケンスである実施形態２４におけるＷＴＲＵ。
２６．前記直交シーケンスは、アダマールシーケンスである実施形態２４におけるＷＴＲＵ。
【００４０】
特定の組み合わせにおいて特徴を説明したが、それぞれの特徴または要素は、他の特徴および要素を用いずに単独で、または他の特徴および要素の有無にかかわらずさまざまな組み合わせにおいて使用することができる。与えられた方法またはフローチャートは、コンピュータプログラム、ソフトウェア、または汎用コンピュータもしくはプロセッサが実行するコンピュータ読み取り可能記憶媒体に明示的に実施されるファームウェアに実装できる。コンピュータ読み取り可能記憶媒体の例は、ＲＯＭ(read only memory)、ＲＡＭ(random access memory)、レジスタ、キャッシュメモリ、半導体メモリ装置、内部ハードディスクおよび取り外し可能なディスクなどの磁気媒体、光磁気媒体、ならびにＣＤ−ＲＯＭディスクおよびＤＶＤ(digital versatile disk)などの光媒体を含む。
【００４１】
適するプロセッサは、一例として、汎用プロセッサ、専用プロセッサ、標準プロセッサ、ＤＳＰ(digital signal processor)、複数のマイクロプロセッサ、ＤＳＰコア内蔵の１または複数のマイクロプロセッサ、コントローラ、マイクロコントローラ、ＡＳＩＣ(Application Specific Integrated Circuit)、ＦＰＧＡ(Field Programmable Gate Array)回路、任意の他の種類のＩＣ(integrated circuit)、および／またはステートマシンを含む。ソフトウェア内蔵のプロセッサを用いて、ＷＴＲＵ(wireless transmit receive unit)に使用する無線送受信器、ＵＥ(user equipment)、端末機、基地局、ＲＮＣ(radio network controller)、または任意のホストコンピュータを実装できる。ＷＴＲＵは、モジュールとともに用いることができ、例えば、カメラ、ビデオカメラモジュール、ビデオフォン、スピーカフォン、振動装置、スピーカ、マイクロフォン、テレビ受信器、ハンズフリーヘッドセット、キーボード、Bluetooth（登録商標）モジュール、ＦＭ(frequency modulated)ラジオ装置、ＬＣＤ(liquid crystal display)ディスプレイ装置、ＯＬＥＤ(organic light-emitting diode) ディスプレイ装置、デジタル音楽プレーヤ、メディアプレーヤ、ビデオゲームプレーヤモジュール、インターネットブラウザ、および／または任意のＷＬＡＮ(wireless local area network)モジュールなどのハードウェアおよび／またはソフトウェアに実装できる。
【図１】
2010521880.tif 000003
【図２】
2010521880.tif 000004
【図３】
2010521880.tif 000005
【図４】
2010521880.tif 000006
【図５】
2010521880.tif 000007
【図６】
2010521880.tif 000008
【図７】
2010521880.tif 000009
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
ＷＴＲＵ(wireless transmit receive unit)からフィードバック情報を送信する方法であって、
アップリンク共有チャンネル内の制御情報を用いて前記フィードバック情報を多重化すること、および
前記フィードバック情報をｅＮＢ(e Node B)に送信すること
を備えることを特徴とする方法。
【請求項２】
前記フィードバック情報は、ＴＰＣ(transmit power control)信号を備えることを特徴とする請求項１に記載の方法。
【請求項３】
前記アップリンク共有チャンネルは、ＰＵＳＣＨ(physical uplink shared channel)を備えることを特徴とする請求項１に記載の方法。
【請求項４】
前記ＴＰＣ信号は、２ビットを備えることを特徴とする請求項２に記載の方法。
【請求項５】
前記制御情報を用いて前記フィードバック情報をコード化することをさらに備えることを特徴とする請求項１に記載の方法。
【請求項６】
ＷＴＲＵ(wireless transmit receive unit)からフィードバック情報を送信する方法であって、
ＡＣＫ／ＮＡＣＫ(acknowledge/negative acknowledge)フィードバックを運ぶ複数の制御チャンネルを多重化すること、および
直交シーケンスを使用して前記制御チャンネルを拡散するステップと
を備えることを特徴とする方法。
【請求項７】
ＣＤＭ(code division multiplexing)を使用して前記制御チャンネルを多重化することをさらに備えることを特徴とする請求項６に記載の方法。
【請求項８】
ＷＴＲＵ(wireless transmit receive unit)であって、
アップリンク共有チャンネル内の複数の制御情報を用いて複数のフィードバック情報を多重化するように構成されたプロセッサと、
前記多重化されたフィードバック情報をｅＮＢ(e Node B)に送信するように構成された送受信機と
を備えることを特徴とするＷＴＲＵ。
【請求項９】
前記フィードバック情報は、ＴＰＣ(transmit power control)信号を備えることを特徴とする請求項８に記載のＷＴＲＵ。
【請求項１０】
前記アップリンク共有チャンネルは、ＰＵＳＣＨ(physical uplink shared channel)を備えることを特徴とする請求項８に記載のＷＴＲＵ。
【請求項１１】
前記ＴＰＣ信号は、２ビットを備えることを特徴とする請求項８に記載のＷＴＲＵ。
【請求項１２】
前記プロセッサは、前記制御情報を用いて前記フィードバック情報をコード化するようにさらに構成されたことを特徴とする請求項８に記載のＷＴＲＵ。
【請求項１３】
ＷＴＲＵ(wireless transmit receive unit)であって、
ＡＣＫ／ＮＡＣＫ(acknowledge/negative acknowledge)フィードバックを運ぶ制御チャンネルを多重化し、および直交シーケンスを使用して前記制御チャンネルを拡散するように構成されたプロセッサと、
前記多重化された制御チャンネルをｅＮＢ(e Node B)に送信するように構成された送受信機と
を備えることを特徴とするＷＴＲＵ。
【請求項１４】
前記プロセッサは、ＣＤＭ(code division multiplexing)を使用して前記制御チャンネルを多重化するようにさらに構成されたことを特徴とする請求項１３に記載のＷＴＲＵ。
【請求項１５】
前記複数の制御チャンネルは、同じリソースブロックを占有することを特徴とする請求項１３に記載のＷＴＲＵ。
【国際調査報告】
2010521880.tif 000010
2010521880.tif 000011
2010521880.tif 000012
2010521880.tif 000013
2010521880.tif 000014